(57)【要約】【課題】ペン先体を装着した筆記具において、中綿式インクタンクをカートリッジとして構成し、筆跡の太さを変えられるようにした筆記具を提供する。【解決手段】筆記具軸筒の先端部にペン先体を装着し、筆記部軸筒の後端部に尾栓を着脱自在に装着し、該軸筒の内壁と、該ペン体の後端突部と、該尾栓のシート破断用突起とで取り囲んだ部位を中綿式インキカートリッジの装填空間とすること並びに太ペン先体を前記ペン先体に被冠するように設けたことを特徴とする筆記具。【選択図】図３
2012176527.tif 000002
【特許請求の範囲】
【請求項１】
筆記具軸筒の先端部にペン先体を、ペン先体の先端筆記部を軸筒より突出させ、ペン先体の後端突部を軸筒の内部に突出させて装着し、筆記部軸筒の後端に尾栓を着脱自在に装着し、尾栓には装着時に軸筒内に向かうシート破断用突起を設け、少なくとも筆記具軸筒の内壁と、ペン体の後端突部と、尾栓のシール破断用突起とで取り囲んだ部位を中綿式インキカートリッジの装填空間とすることを特徴とする筆記具。
【請求項２】
請求項1に記載の筆記具において、筆記具軸筒の先端部に、ペン先体より太い径の太ペン先体を装着したホルダーを、着脱自在に装着し、装着した状態で、ペン先体の先端面と太ペン先体の後端面とが接触するように設けたことを特徴とする筆記具。
【請求項３】
請求項1に記載の筆記具に使用される中綿式インキカートリッジであって、合成樹脂製円筒体の先端開口部と後端開口部とに、突起を押圧することによって破断するシート部材を接着、溶着等により取り付けたことを特徴とする中綿式インキカートリッジ。
【発明の詳細な説明】
【技術分野】
【０００１】
筆記具及びその筆記具に装填するインキカートリッジに関する。
【背景技術】
【０００２】
従来、金属のペン先を備えた筆記具には、インキカートリッジを装填するもの又はインキを補充できるポンプ機能を有するインキタンクを内蔵したものとがあるが、ペン先体（ペン先、ペンニブ等）がプラスチックニブ又は化繊芯で構成された筆記具おいては、中綿式インキタンクは筆軸筒中に内蔵されており、インキを使い果たすと全体を廃棄するものであった。その中でも、プラスチックニブ等のペン先を備えた筆記具であってもインキカートリッジを用いるものも提案されている（特許文献１）。これらのインキカートリッジは専ら一端が開口したインキタンクに液体インキを充填し、該開口を閉鎖する手段にて密閉する方式で構成されている。    
【０００３】
また、筆記具のペン先体を軸筒の先端と後端に夫々筆跡の太さの異なる又は筆圧の異なるものを取付けたものが商品化されているが、両端にペン先体が存在することからインキカートリッジを装填する形式のものではなく、中綿式インキタンクを内蔵したものが採用されており、使い捨て形式の筆記具であった。しかし、中綿式インキタンクを備えるものであっても軸筒を2分割してインキの補充を可能にした筆記具の改良も提案されている（特許文献２）。
また、筆軸の一端に複数の筆先を着脱式に取付けた筆記具も提案されている（特許文献３）。
【先行技術文献】
【特許文献】
【０００４】
【特許文献１】特開２００１−２８７４９４号公報
【特許文献２】特開２００３−３９８７８号公報
【特許文献３】実開昭５９−１４６１８３号公報
【発明の概要】
【発明が解決しようとする課題】
【０００５】
本発明は、インキカートリッジを装填できる、多孔質プラスチックニブ、中心にインキ溝を形成したプラスチックニブ又は棒状化繊芯、筆状穂先等から選ばれたペン先体を備えた筆記具において、中綿式インキタンクをカートリッジ化して、これを装填できるようにした筆記具を提供しようとするものである。
【０００６】
中綿式インキタンクとは、合成樹脂製の円筒体の中に、「中綿」と云われる繊維束、倦縮繊維束、合成樹脂発泡体（スポンジ）等を詰め込み、この中綿にインキを染み込ませて成るインキ吸蔵体である。中綿式インキタンクは、外殻となる円筒体の両端を切りっぱなしのものを使用し、この中に中綿を詰め込むため、先端部と後端部が開放されているところから、筆記具の軸筒に組み込んで、インキ漏れ又はインキの乾燥の心配のない状態とするため、使い捨て筆記具のインキタンクとして採用されている。
【０００７】
中綿式インキタンクは、その構成から比較的安価に製造できというメリットがある。そこで、本発明では、ペン先体を筆先とする筆記具において、中綿式インキタンクをカートリッジに構成し、この中綿式インキカートリッジを筆記具に装填し、筆記に供しようとするものである。
【課題を解決するための手段】
【０００８】
請求項1の発明は、筆記具軸筒の先端部にペン先体を、ペン先体の先端筆記部を軸筒より突出させ、ペン先体の後端突部を軸筒の内部に突出させて装着し、筆記部軸筒の後端に尾栓を着脱自在に装着し、尾栓には装着時に軸筒内に向かうシート破断用突起を設け、少なくとも筆記具軸筒の内壁と、ペン先体の後端突部と、尾栓のシート破断用突起とで取り囲んだ部位を中綿式インキカートリッジの装填空間とすることを特徴とする筆記具である。
以上のように構成することによって、ペン先体を装着した筆記具において、尾栓を取外して、シート部材を両端に張設した中綿式インキカートリッジを交換することによって使用できる。
【０００９】
前項記載の筆記具において、筆記具軸筒の先端部に、ペン先体より太い径の太ペン先体を備えたペン先体ホルダーを、着脱自在に装着し、太ペン先体の後端面に窪みを設け、ペン先体ホルダーを装着した状態で、ペン先体の先端面が太ペン先体の後端面の窪みに接合するように設けたことを特徴とする筆記具である。
以上のように構成することによって、ペン体ホルダーを軸筒に対して着脱することで、容易に太さの異なる文字等を得ることができ、また、太ペン体を細い径のペン先体の先に包むようにして接続したので、両者の接属状態が良く、インキの流れを円滑に確保できる。
【００１０】
上記に記載した筆記具に使用される中綿式インキカートリッジであって、合成樹脂製円筒体の先端開口部と後端開口部とに、突起を押圧することによって破断するシート部材を接着、溶着等により取付けたことを特徴とする中面式インキカートリッジ。
以上のように構成することによって、安価に提供できると共にインキ消費の大きい合成樹脂発泡体又は合成樹脂繊維を使用したペン先体を使用する場合であっても、中綿式インキカートリッジを携帯し、この筆記具にインキカートリッジを交換することができる。
【発明の効果】
【００１１】
本発明は、上記のように、破断可能なシート部材を、インクタンクとなる中綿を備えた合成樹脂製円筒体の両端開口部に張設することによって中綿式インキカートリッジを構成したので、安価に作成することができ、従来のインキカートリッジ方式で要求されるインキカートリッジの一端を開口するための換気手段を備えた硬質の突起を設ける必要がない。
また、インキカートリッジの両端からシート部材を破断してインキを使用するものであるから、インキの供給を迅速にペン先体へ送ることができ、また、インキの消耗も明確になる。
【図面の簡単な説明】
【００１２】
【図１】本発明にかかる筆記具のキャップを取り除いた状態の平面図である。
【図２】図１に示す本発明の筆記具において、太ペン先体を備えたペン先体ホルダーを筆記具軸筒先端部から取り除いた状態の平面図である。
【図３】図２のA-A線に沿う拡大縦断側面図であって、中綿式インキカートリッジを取り外して示した図である。
【図４】図３と同様の拡大縦断側面図あるが、筆記具軸筒の後端部から中綿式インキカートリッジを装填し、軸等の後端部を尾栓で封止した状態を示す図である。
【図５】中綿式インキカートリッジの拡大平面図であって、その一部を切り欠いて示すと共にその一部を更に拡大して示した図である。
【発明を実施するための形態】
【００１３】
本発明の筆記具は、図１ないし図４に示すように、先端部にペン先体４を備えた円筒状の筆記具軸筒１と、その後端に取付けた尾栓２とにより筆記具の外殻を形成している。そして、軸筒1の先端部にはキャップ体15が装着される。
【００１４】
軸筒１は、先端部１Aを複数段に絞った先細りの部分に貫通孔３を備え、貫通孔３内に棒状のペン先体４を担持している。これにより、ペン先体４は、ペン先体４の先端筆記部４Aを軸筒１より突出させ、かつペン先体４の後端部４Bを軸筒１の内部に突出させた状態に配置される。貫通孔３の内壁には換気のための溝を設けておくことが望ましい。
【００１５】
ペン先体４は、多孔質プラスチックニブ、焼結プラスチックニブ、金型からの引き抜きにより中心にインキ溝を形成したプラスチックニブ又は多数の化学繊維を部分的に接着した棒状化繊芯等が望ましい。ペン先体１の後端４Bには、後述のインキカートリッジ６の開口端に張設したシート部材７を容易に破断するために、尖端を備えた破断金具５を固定してある。しかし、ペン先体１の後端部がシート部材７を破断できる強度を持つなどの機能を備えていれば、そのような金具は省略できる。  
【００１６】
筆記具の軸筒１の後端部に装着する尾栓２は、その外周に雄ねじ２Aを設け、軸筒１に設けた雌ねじにねじ込むことにより着脱自在に装着される。この場合、両者間には、ねじを設けなくとも、僅かなテーパーを設けた摩擦嵌合により着脱自在に装着する形式でもよい。尾栓２の底部には、軸筒１の後端部に装着したときに、軸筒内に向かう、シート破断用突起２Bを突設する。突起２Ｂは、この実施例では、縦溝２Dを有する円錐状突起に形成したが、円錐状ねじでも、多角錐状突起等でもよい。要は、突起２Ｂがシート部材を破断したとき、突起２Ｂの周囲にインキカートリッジ内への換気ができる隙間が形成されることが望ましい。
【００１７】
図中、２Cは軸筒１および尾栓２との間に介挿したＯ―リングであって、中綿式インクカートリッジ中のインキが何らかの原因で軸筒内空間に漏れた場合に軸筒外にまで漏れないようにするためのものである。
【００１８】
以上の構成により、少なくとも筆記具軸筒１の内壁と、ペン体４の後端部と、尾栓２のシール破断用突起２Ｂとで中綿式インキカートリッジの装填空間１０を取り囲むことになる。
【００１９】
中綿式インキカートリッジ６は、図５に示すように、合成樹脂製円筒体８の中に中綿９と言われる多数の繊維を引き揃え束ねたもの、発泡樹脂材を細条に切断したもの等を詰め込み、詰め込んだ中綿９にインキを染み込ませ、その後に先端開口部８Ａと後端開口部８Ｂとに、シート部材７を張設することにより構成する。
【００２０】
シート部材７としては、突起によって容易に破断されるような厚さと強度を持つものであって、例えば、片面に合成樹脂接着剤を塗布したアルミシート、熱溶融性合成樹脂シート、防水加工を施した合成繊維不織布等が採用し得る。
このシート部材７の周辺部を、合成樹脂製円筒体８の端部に形成した鍔状端縁部８Ａに、接着剤によって接着し、又は熱溶着により取り付ける。鍔状端縁部８Ａは、予め円筒体の端部を外方に折り曲げ加工しておいても良く、又は接着、熱溶着のときに、同時に加工するようにしても良い。
【００２１】
次に、中綿式インキカートリッジ６を軸筒１内に装填する場合を説明する。
図３に示す状態に筆記具があるときに、尾栓２を軸筒１から取外し、軸筒１の後端から前述の中綿式インキカートリッジ６を装填空間１０内に装填し、しかる後、尾栓２を軸筒後端にねじ込めば、図４に示すように、中綿式インキカートリッジ６の先端に位置するシート部材７はペン体４の後端部４Ｂにより押圧、破断され、同時に中綿式インキカートリッジ６の後端に固定されたシート部材７は、尾栓２に設けられた突起２Ｂの押圧により破断される。この破断は、実験によれば、突起の周囲に隙間が生ずるような状態で破断される。この状態で、ペン先体４の後端部とインキを含浸した中綿９と接触し、同時に、インキカートリッジの後端部乃破断部から空気が侵入するので、インクを毛細管によってペン先体４へ流動させることができる。
【００２２】
また、図２及び図３で示すように、軸筒１の先端部１Ａには、太ペン先体１２を備えたペン先体ホルダー１１が上部より嵌装される。ペン先体ホルダー１１は筒状体に構成されており、ペン先体ホルダー１１の後端の裾部１１Ａが軸筒１の先端部１Ａの周面に嵌合するように構成される。ペン先体ホルダー１１の先端内部に太ペン先体１２が先端を外部に露出させて取付けられているが、この太ペン先体１２の長さは短く、その直径はペン先体４に比べて長く、全体として、ドームのような形をしている。太ペン先体１２の後端面には窪み１２Ａが形成されている。この窪み１２Ａの形状は、ペン先体４の先端部４Ａの形状に合致する。
なお、図中、１１Bは、太ペン先体１２の後端面を支えるためにペン先体ホルダー１１の内側に固定された、中央に孔を穿ったペン先体固定こまである。
【００２３】
軸筒１の先端部１Ａに、太ペン先体１２を備えたペン先体ホルダー１１が嵌装されると、ペン先体４の先端部４Ａは太ペン先体１２の後端面には窪み１２Ａに嵌合し、接触して、ペン先体４に含浸したインキを毛細管力により太ペン先体１２へ含浸させることになる。
【００２４】
この構成により、通常はペン先体ホルダー１１を取り除いた状態で、ペン先体４を用いて細い線の文字等を筆記し、太い筆跡の文字等を望む時は、ペン先体ホルダー１１をペン先体４に被せて太ペン先体１２で筆記をすれば、簡単に太い線の筆跡を得ることができる。被せる方のペン先体を太く短いものとし、インキを送ることになるペン体を細径で細く形成できるので、材料の倹約による経費の節減ができる。
【産業上の利用可能性】
【００２５】
通常の筆記具として、中綿式インキタンクをカートリッジとして使用できると共に材料を節約した状態で使用ができる。
【符号の説明】
【００２６】
１  軸筒、
２  尾栓、      ２Ｂ  尾栓に設けた突起、
４  ペン先体、  ４Ａ  ペン先体の先端部、
６  中綿式インキカートリッジ、
７  シート部材、
８  筒体、
１０  装填空間、
１１  ペン先体ホルダー、
１２  太ペン先体、    １２Ａ  太ペン先体に設けた窪み。
【図１】
2012176527.tif 000003
【図２】
2012176527.tif 000004
【図３】
2012176527.tif 000005
【図４】
2012176527.tif 000006
【図５】
2012176527.tif 000007